(57)【要約】【課題】電子ファイルに対する操作の有効選択領域を当該操作より前の操作結果に応じて算出することができる情報処理装置及び電子ファイル操作プログラムを提供する。【解決手段】情報処理装置１は、電子ファイルとしての文書情報を操作する操作対象として表象画像としての文書アイコンを用いて表示する電子ファイル一覧表示手段１０Ｃと、文書アイコンの有効選択領域を選択することで文書情報に対する操作を行う電子ファイル操作手段１０Ｄと、電子ファイル操作手段１０Ｄが行った操作の結果に応じて、文書アイコンの有効選択領域を算出する有効選択領域算出手段１０Ｂとを有する。【選択図】図１
2011008633.tif 000002
【特許請求の範囲】
【請求項１】
電子ファイルを操作する操作対象として表象画像を用いて表示する画像表示手段と、
前記表象画像の有効選択領域を選択することで前記電子ファイルに対する操作を行う電子ファイル操作手段と、
前記電子ファイル操作手段が行った操作の結果に応じて、前記表象画像の前記有効選択領域を算出する算出手段と
を有する情報処理装置。
【請求項２】
前記算出手段は、前記表象画像及び当該表象画像の周囲に配置された表象画像の配置関係を判別し、前記有効選択領域を算出する請求項１に記載の情報処理装置。
【請求項３】
前記算出手段は、前記操作の結果に、表象画像に対応する電子ファイルに対する操作の取り消しが含まれるとき、前記有効選択領域を算出する請求項１に記載の情報処理装置。
【請求項４】
コンピュータを
電子ファイルを操作する操作対象として表象画像を用いて表示する画像表示手段、
前記表象画像の有効選択領域を選択することで前記電子ファイルに対する操作を行う電子ファイル操作手段、
前記電子ファイル操作手段が行った操作の結果に応じて、前記表象画像の前記有効選択領域を算出する算出手段、
として機能させるための電子ファイル操作プログラム。
【発明の詳細な説明】
【技術分野】
【０００１】
本発明は、情報処理装置および電子ファイル操作プログラムに関する。
【背景技術】
【０００２】
アイコンの外周領域内のカーソルの移動軌跡に基づいてアイコンを選択したとみなす情報処理装置が知られている。
【０００３】
例えば、特許文献１の情報装置は、アイコンを表示する表示手段と、表示されたアイコンの外周領域内のポインターの移動軌跡を検出し、移動軌跡が予め定めた条件を満たすときアイコンを選択するよう判断するアイコン選択判断手段とを有し、アイコンを選択したと見なす領域に位置しなくても、アイコンを選択したと見なすことにより、アイコン選択の操作性が容易になる技術が開示されている。
【先行技術文献】
【特許文献】
【０００４】
【特許文献１】特開２００５−２１５７４９号公報
【発明の概要】
【発明が解決しようとする課題】
【０００５】
本発明の目的は、電子ファイルに対する操作の有効選択領域を当該操作より前の操作結果に応じて算出することができる情報処理装置及び電子ファイル操作プログラムを提供することにある。
【課題を解決するための手段】
【０００６】
［１］電子ファイルを操作する操作対象として表象画像を用いて表示する画像表示手段と、前記表象画像の有効選択領域を選択することで前記電子ファイルに対する操作を行う電子ファイル操作手段と、前記電子ファイル操作手段が行った操作の結果に応じて、前記表象画像の前記有効選択領域を算出する算出手段とを有する情報処理装置。
【０００７】
［２］前記算出手段は、前記表象画像及び当該表象画像の周囲に配置された表象画像の配置関係を判別し、前記有効選択領域を算出する前記［１］に記載の情報処理装置。
【０００８】
［３］前記算出手段は、前記操作の結果に、表象画像に対応する電子ファイルに対する操作の取り消しが含まれるとき、前記有効選択領域を算出する前記［１］に記載の情報処理装置。
【０００９】
［４］コンピュータを電子ファイルを操作する操作対象として表象画像を用いて表示する画像表示手段、前記表象画像の有効選択領域を選択することで前記電子ファイルに対する操作を行う電子ファイル操作手段、前記電子ファイル操作手段が行った操作の結果に応じて、前記表象画像の前記有効選択領域を算出する算出手段として機能させるための電子ファイル操作プログラム。
【発明の効果】
【００１０】
請求項１又は４に係る発明によれば、。電子ファイルを操作する操作対象としての表象画像の有効選択領域を操作の結果に応じて算出することができ、操作対象を選択することができる。
【００１１】
請求項２に係る発明によれば、操作対象の操作の結果に応じた配置関係に基づいて、操作対象としての表象画像の有効選択領域を算出することができる。
【００１２】
請求項３に係る発明によれば、操作対象の操作の結果に表象画像に対応する電子ファイルに対する操作の取り消しが含まれるとき、表象画像の有効選択領域を算出することができる。
【図面の簡単な説明】
【００１３】
【図１】本発明の第１の実施の形態に係る情報処理装置の構成例を示す概略図である。
【図２】（ａ）〜（ｃ）は、本発明の第１の実施の形態に係る文書アイコンに対する有効選択領域の算出例を示す概略図である。
【図３】本発明の第１の実施の形態に係る文書アイコンに対する有効選択領域の算出方法を示す概略図である。
【図４】本発明の第１の実施の形態に係る情報処理装置の動作例を示すフローチャートである。
【図５】（ａ）〜（ｃ）は、本発明の第２の実施の形態に係る文書アイコンに対する有効選択領域の算出例を示す概略図である。
【図６】本発明の第２の実施の形態に係る情報処理装置の動作例を示すフローチャートである。
【図７】（ａ）〜（ｃ）は、本発明の第３の実施の形態に係る操作アイコンに対する有効選択領域の算出例を示す概略図である。
【発明を実施するための形態】
【００１４】
［第１の実施の形態］
（情報処理装置の構成）
図１は、本発明の第１の実施の形態に係る情報処理装置の構成例を示す概略図である。
【００１５】
情報処理装置１は、ＣＰＵ（Ｃｅｎｔｒａｌ  Ｐｒｏｃｅｓｓｉｎｇ  Ｕｎｉｔ）等から構成され各部を制御するとともに各種のプログラムを実行する制御部１０と、ＨＤＤ（Ｈａｒｄ  Ｄｉｓｃ  Ｄｒｉｖｅ）やフラッシュメモリ等の記憶装置から構成され情報を記憶する記憶部１１と、ＬＣＤ（Ｌｉｑｕｉｄ  Ｃｒｙｓｔａｌ  Ｄｉｓｐｌａｙ）等から構成され画像や文字等を表示する表示部１２と、マウス、キーボードや表示部１２の表示画面上に設けられるタッチパネル等から構成され操作信号を生成する操作部１３と、ネットワークを介して外部と通信する通信部１４とを有する。
【００１６】
制御部１０は、後述する電子ファイル操作プログラム１１Ａを実行することで、表示部１２に表示する電子ファイル１１Ｂ及び電子ファイル付随情報１１Ｃ（後述）を取得する電子ファイル情報取得手段１０Ａと、表示する電子ファイルを選択することのできる有効選択領域を電子ファイル付随情報１１Ｃに基づいて算出する有効選択領域算出手段１０Ｂと、電子ファイルを操作対象として表すアイコン、サムネイルなどの電子ファイルを表象する表象画像を用いて表示部１２に一覧表示する電子ファイル一覧表示手段１０Ｃと、操作部１３が出力する操作信号に基づいて表示部１２に一覧表示されたアイコン、サムネイルなどを選択し、移動したり、ファイルの操作等を行う電子ファイル操作手段１０Ｄとして動作する。
【００１７】
記憶部１１は、制御部１０を上述した各手段として動作させる電子ファイル操作プログラム１１Ａと、ワープロや表計算ソフトウェアで作成された情報、文書情報、画像情報及び音声情報等である電子ファイル１１Ｂと、電子ファイル１１Ｂに付随する情報である電子ファイル付随情報１１Ｃとを記憶する。なお、電子ファイル１１Ｂは、ソフトウェアによって作成された情報の他、自らプログラムを実行するアプリケーションやアプリケーションにおいて使用されるプラグインソフトウェア等も含んでもよい。
【００１８】
電子ファイル付随情報１１Ｃは、電子ファイル１１Ｂの一覧表示において、操作対象として表示される表象画像の配置座標等の情報を示す配置情報１１０と、電子ファイル１１Ｂ又は電子ファイル１１Ｂに対応する表象画像に対する操作履歴の情報を示す操作履歴情報１１１とを有する。
【００１９】
図２（ａ）〜（ｃ）は、本発明の第１の実施の形態に係る文書アイコンに対する有効選択領域の算出例を示す概略図である。本実施例では電子ファイルを文書情報とし、当該電子ファイルを操作対象として表す表象画像はアイコンとして説明し、文書アイコンと記述する。
【００２０】
文書アイコン１２０をカーソル１２３で選択することのできる領域である有効選択領域１２０ａは、文書アイコン１２０を中心とする半径Ｌ内の算出領域１２１に含まれる周囲文書アイコン１２２の配置によって算出され、図２（ａ）に示すように、算出領域１２１内で文書アイコン１２０の近傍を囲むように周囲文書アイコン１２２が配置されている場合、文書アイコン１２０より小さい範囲に縮小される。
【００２１】
また、有効選択領域１２０ｂは、図２（ｂ）に示すように、算出領域１２１内に周囲文書アイコン１２２が配置されていない場合、文書アイコン１２０より大きい範囲に拡大される。
【００２２】
また、有効選択領域１２０ｃは、図２（ｃ）に示すように、算出領域１２１内に周囲文書アイコン１２２が配置されており、右側近傍に配置がない場合、文書アイコン１２０より右側にオフセットされる。
【００２３】
図３は、本発明の第１の実施の形態に係る文書アイコンに対する有効選択領域の算出方法を示す概略図である。
【００２４】
Ｏ１及びＯ２〜Ｏ６は、それぞれ文書アイコン１２０及び周囲文書アイコン１２２の中心（重心）の表示領域上の座標を示しており、Ｚ２〜Ｚ６は、それぞれＯ１を始点としたＯ２〜Ｏ６に対するベクトルである。また、領域１〜４は、文書アイコン１２０が矩形であるとき、対角線の延長上で区切られる領域であり、算出領域１２１ａは、文書アイコン１２０を中心として半径Ｌ未満かつ半径Ｌ／２以上の領域、算出領域１２１ｂは、文書アイコン１２０を中心として半径Ｌ／２未満の領域を指す。なお、領域１〜４、算出領域１２１ａ及び１２１ｂの定義は、上記のものに限らず、文書アイコン１２０の形状、配置等の条件によって予め定められるものであってもよい。
【００２５】
（動作）
以下に、本発明の実施の形態における情報処理装置の動作を各図を参照しつつ説明する。
【００２６】
まず、情報処理装置１を使用する利用者は、マウス等である操作部１３を操作することで、表示部１２に表示されるカーソル１２３を移動させる。通常は、カーソル１２３が文書アイコン１２０上にあるとき、操作部１３に選択要求を入力することで文書アイコン１２０が選択されるが、有効選択領域１２０ａ〜１２０ｂが設定されているときは、有効選択領域１２０ａ〜１２０ｂ上において選択要求を入力する必要がある。以下において、有効選択領域の算出方法を説明する。なお、文書アイコン１２０、周囲文書アイコン１２２及びカーソル１２３は、電子ファイル一覧表示手段１０Ｃによって表示される。
【００２７】
図４は、本発明の第１の実施の形態に係る情報処理装置の動作例を示すフローチャートである。
【００２８】
まず、電子ファイル情報取得手段１０Ａは、有効選択領域を算出する文書アイコン１２０及び周囲文書アイコン１２２に対応する電子ファイル付随情報１１Ｃを記憶部１１から取得する（Ｓ１）。次に、有効選択領域算出手段１０Ｂは、文書アイコン１２０及び周囲文書アイコン１２２に対応する配置情報１１０から、図３に示すように、文書アイコン１２０の算出領域１２１ａ内に配置される周囲文書アイコン１２２を抽出する（Ｓ２）。
【００２９】
次に、有効選択領域算出手段１０Ｂは、文書アイコン１２０の中心Ｏ１から周囲文書アイコンの中Ｏ２〜Ｏ６に向かうベクトルＺ２〜Ｚ６を生成し（Ｓ３）、図３に示す各領域１〜４に含まれるベクトルに基づいて有効選択領域を変更する（Ｓ４）。なお、有効選択領域の算出方法は以下に詳細に説明する。
【００３０】
まず、領域１に存在するベクトルＺ２及びＺ３は、文書アイコン１２０の有効選択領域の上端を決定する。有効選択領域算出手段１０Ｂは、ベクトルＺ２とＺ３のＹ方向成分、Ｙ２とＹ３の絶対値をそれぞれ求める。さらに、前記絶対値の最小値を求め、前記最小値｜Ｙ２｜がＬ／２より小さいとき有効選択領域の上端を予め定めた値ｄだけ−Ｙ方向に移動する。また、その値Ｙ２がＬ／２より大きいとき有効選択領域の上端を予め定めた値ｄだけＹ方向に移動する。領域３についても同様に、有効選択領域の下端を移動する。また、領域３ではＹ方向成分の絶対値の最小値がＬ／２より小さいとき有効選択領域の下端を予め定めた値ｄだけＹ方向に移動し、前記最小値がＬ／２より大きいとき有効選択領域の上端を予め定めた値ｄだけ−Ｙ方向に移動する。
【００３１】
また、領域２に存在するベクトルは、文書アイコン１２０の有効選択領域の右端を決定する。領域４についても同様に、有効選択領域の左端を移動する。有効選択領域算出手段１０Ｂは、ベクトルＺ４のＸ方向成分、Ｘ４を求め、その絶対値｜Ｘ４｜がＬ／２より小さいとき有効選択領域の左端を予め定めた値ｄだけＸ方向に移動する。また、絶対値｜Ｘ４｜がＬ／２より大きいとき有効選択領域の左端を予め定めた値ｄだけ−Ｘ方向に移動する。また、領域２においてはＸ方向成分の絶対値の最小値がＬ／２より小さいとき有効選択領域の右端を予め定めた値ｄだけ−Ｘ方向に移動し、前記最小値がＬ／２より大きいとき有効選択領域の右端を予め定めた値ｄだけＸ方向に移動するが、対象となる周囲文書アイコンがなく、ベクトルが存在しない場合は右端を予め定めた値eだけＸ方向に移動する。以上のように定められた各領域で、周囲文書アイコンの配置状況の結果に応じて、文書アイコン１２０の有効選択領域は中心Ｏ１に向かう方向あるいは中心Ｏ１から遠ざかる方向に向かって領域が変化する。
【００３２】
なお、各方向成分の絶対値の最小値とＬ／２との差分に応じて値ｄを変化させるようにしても良い。また、算出された有効選択領域の表示、非表示を切り替えられるようにしても良い。
【００３３】
［第２の実施の形態］
図５（ａ）〜（ｃ）は、本発明の第２の実施の形態に係る文書アイコンに対する有効選択領域の算出例を示す概略図である。本実施例では電子ファイルを文書情報とし、当該電子ファイルを操作対象として表す表象画像はアイコンとして説明し、文書アイコンと記述する。
【００３４】
図５（ａ）に示すように、文書アイコン１２０と同等の大きさを有する有効選択領域１２０ｄをカーソル１２３によって選択して、例えば、図５（ｂ）に示すように、移動して周囲文書アイコン１２２上に配置し、その後、文書アイコン１２０の移動動作をキャンセル又は、ＵＮＤＯ等して、図５（ｃ）に示すように、再配置したとき、文書アイコン１２０の有効選択領域１２０ｅは、有効選択領域１２０ｄより縮小される。
【００３５】
図６は、本発明の第２の実施の形態に係る情報処理装置の動作例を示すフローチャートである。
【００３６】
まず、電子ファイル情報取得手段１０Ａは、有効選択領域を算出する文書アイコン１２０に対応する電子ファイル付随情報１１Ｃを記憶部１１から取得する（Ｓ１１）。次に、有効選択領域算出手段１０Ｂは、文書アイコン１２０に対応する操作履歴情報１１１を参照し、直前に操作をキャンセルした履歴があるか否かを判定する（Ｓ１２）。
【００３７】
次に、有効選択領域算出手段１０Ｂは、操作履歴情報１１１に操作キャンセルが有るとき（Ｓ１２；Ｙｅｓ）、図５（ｃ）に示すように有効選択領域１２０ｅを有効選択領域１２０ｄより縮小する（Ｓ１３）。また、操作履歴情報１１１に操作キャンセルがないとき（Ｓ１２；Ｎｏ）、有効選択領域を変更しない。
【００３８】
［第３の実施の形態］
図７（ａ）〜（ｃ）は、本発明の第３の実施の形態に係る操作アイコンに対する有効選択領域の算出例を示す概略図である。本実施例では文書情報、画像情報、音声情報などを電子ファイルとして取り扱うことのできるアプリケーションプログラムの操作に関するものであり、アプリケーションプログラムで、当該電子ファイルの内容などを操作する命令を操作対象として表す表象画像としてアイコンを表示している。当該アイコンは操作アイコンと記述する。
【００３９】
アプリケーションウィンドウ１３０は、図７（ａ）に示すように、情報処理装置１上で動作する図示しないアプリケーションによって表示され、各種操作のための要求を選択するための操作メニュー１３１と、カーソル１３５で選択することで操作を実行することができる操作アイコン１３２ａ〜１３２ｃを配置する操作アイコン配置領域１３２と、アプリケーションで取り扱う文書を編集作業するための作業領域１３３とを有する。
【００４０】
また、操作アイコン配置領域１３２に配置されている操作アイコン１３２ｃは、例えば、カーソル１３５でダブルクリック等の操作をすることで、図７（ｂ）に示すように、ポップアップ操作アイコン１３４として操作アイコン配置領域１３２の外に配置することができるようになる。
【００４１】
操作アイコン１３２ａ〜１３２ｃは、通常アイコンの表示領域と有効選択領域とが一致しているが、図７（ｂ）に示す状態から、予め定めた時間Ｔ、例えば、１０秒以内で、ポップアップ操作アイコン１３４を再び操作アイコン配置領域１３２に戻したとき、図７（ｃ）に示すように、操作アイコン１３２ｃの有効選択領域１３６を操作アイコン１３２ｃの表示サイズより縮小したサイズに設定する。
【００４２】
［他の実施の形態］
なお、本発明は、上記実施の形態に限定されず、本発明の趣旨を逸脱しない範囲で種々な変形が可能である。
【００４３】
例えば、文書アイコンや操作アイコンに限らず、表示部１２に表示されカーソル等で選択される形態のものであれば、ウェブサイトのリンク画像やリンク文字の有効選択領域、ドローソフト等で描かれる図形要素の有効選択領域等に本発明を適用してもよい。
【００４４】
また、上記実施の形態で使用される電子ファイル情報取得手段１０Ａと、有効選択領域算出手段１０Ｂと、電子ファイル一覧表示手段１０Ｃと、電子ファイル操作手段１０Ｄとは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００４５】
１…情報処理装置、１０…制御部、１０Ａ…電子ファイル情報取得手段、１０Ｂ…有効選択領域算出手段、１０Ｃ…電子ファイル一覧表示手段、１０Ｄ…電子ファイル操作手段、１１…記憶部、１１Ａ…電子ファイル操作プログラム、１１Ｂ…電子ファイル、１１Ｃ…電子ファイル付随情報、１２…表示部、１３…操作部、１４…通信部、１１０…配置情報、１１１…操作履歴情報、１２０…文書アイコン、１２０ａ−１２０ｅ…有効選択領域、１２１…算出領域、１２１ａ…算出領域、１２１ｂ…算出領域、１２２…周囲文書アイコン、１２３…カーソル、１３０…アプリケーションウィンドウ、１３１…操作メニュー、１３２…操作アイコン配置領域、１３２ａ-１３２ｃ…操作アイコン、１３３…作業領域、１３４…ポップアップ操作アイコン、１３５…カーソル、１３６…有効選択領域
【図１】
2011008633.tif 000003
【図２】
2011008633.tif 000004
【図３】
2011008633.tif 000005
【図４】
2011008633.tif 000006
【図５】
2011008633.tif 000007
【図６】
2011008633.tif 000008
【図７】
2011008633.tif 000009